(57)【要約】【課題】  個人情報や機密情報などが記録された機密ファイルの情報漏洩事故（情報漏洩事故）を防止するために、システムの管理者が簡単に運用開始できて、設定の全容理解へエスコートできるファイル暗号化システムを提供することにある。【解決手段】  ファイル暗号化設定画面は、暗号化の運用に必要な設定をビジュアル的に表示されている。詳しくは、暗号化の運用に必要な設定をオン・オフ又は有り・無しで行うことができるように表示されていたり、暗号化の運用に関連する要素について画面上で細かな情報提供を行い、要素に関連する設定を絞って呼び出し表示することで、該当の詳細設定の理解をエスコートできるように表示されている。これによって、システムの管理者が簡単に運用開始できて、設定の全容理解へエスコートできるものとなる。【選択図】  図２
2017120597.tif 000002
【特許請求の範囲】
【請求項１】
コンピュータシステム上に存在しているファイルを暗号化させる暗号化機能と、
ファイルの暗号化のための設定画面を表示させるためのアイコンと、を備え、
アイコンを操作して表示されたファイル暗号化設定画面が、暗号化の運用に必要な設定をビジュアル的に表示していることを特徴とするファイル暗号化システム。
【請求項２】
ファイル暗号化設定画面は、暗号化の運用に必要な設定をオン・オフ又は有り・無しで行うことができるようにビジュアル的に表示していることを特徴とする請求項１記載のファイル暗号化システム。
【請求項３】
ファイル暗号化設定画面は、暗号化の運用に関連する要素について画面上で細かな情報提供を行い、要素に関連する設定を絞って呼び出し表示することで、該当の詳細設定の理解をエスコートできるようにビジュアル的に表示していることを特徴とする請求項１又は２記載のファイル暗号化システム。
【請求項４】
ファイル暗号化設定画面は、アニメーションを用いたビジュアル的な表示であることを特徴とする請求項１，２又は３記載のファイル暗号化システム。
【請求項５】
画面上だけでなく、暗号化の運用図及び現状の設定状況が簡単に把握できるようにレポートを出力するレポート出力機能を備えたことを特徴とする請求項１，２，３又は４記載のファイル暗号化システム。
【発明の詳細な説明】
【技術分野】
【０００１】
本願発明は、個人情報や機密情報などが記録された機密ファイルの情報漏洩事故（情報漏洩事故）を防止するためのファイル暗号化システムに関するものである。
【背景技術】
【０００２】
今般、企業などで多数のコンピュータがネットワークにより相互接続され、個人情報や機密情報の含まれる機密ファイルが簡単に多数のコンピュータへ複製可能となり、情報漏洩などの事故の一因となっている。
また、ＵＳＢメモリーやＳＤカード等に代表される、取り扱いの容易な可搬記憶媒体への複製による持ち出しは、当該可搬記憶媒体の紛失や盗難といった不適切な取り扱い等によっても情報漏洩事故の一因ともなっている。
【０００３】
そして、こうした情報漏洩事故を防ぐために、その対策のひとつとしてファイルの暗号化技術（ファイル暗号化システム）が開発されている（特許文献１など）。
【先行技術文献】
【特許文献】
【０００４】
【特許文献１】特開２００８−２２８０３３号公報
【発明の概要】
【発明が解決しようとする課題】
【０００５】
しかし、従来のファイル暗号化システムでは、暗号化の運用に関する細かな設定などを知る必要があり、誰でもが簡単に扱えるものではなかった。
そこで、システムの管理者が簡単に運用開始できて、設定の全容理解へエスコートできることや、システムの管理者が運用設定の現状把握及び上長への報告に使用できることを目的をして、本願発明を完成するに至った。
【課題を解決するための手段】
【０００６】
上記目的を達成するために、本願発明の第１の発明は、コンピュータシステム上に存在しているファイルを暗号化させる暗号化機能と、ファイルの暗号化のための設定画面を表示させるためのアイコンと、を備え、アイコンを操作して表示されたファイル暗号化設定画面が、暗号化の運用に必要な設定をビジュアル的に表示していることを特徴とするファイル暗号化システムである。
第２の発明は、ファイル暗号化設定画面が、暗号化の運用に必要な設定をオン・オフ又は有り・無しで行うことができるようにビジュアル的に表示していることを特徴とする同ファイル暗号化システムである。
第３の発明は、ファイル暗号化設定画面が、暗号化の運用に関連する要素について画面上で細かな情報提供を行い、要素に関連する設定を絞って呼び出し表示することで、該当の詳細設定の理解をエスコートできるようにビジュアル的に表示していることを特徴とする同ファイル暗号化システムである。
第４の発明は、ファイル暗号化設定画面が、アニメーションを用いたビジュアル的な表示であることを特徴とする同ファイル暗号化システムである。
第５の発明は、画面上だけでなく、暗号化の運用図及び現状の設定状況が簡単に把握できるようにレポートを出力するレポート出力機能を備えたことを特徴とする同ファイル暗号化システムである。
【発明の効果】
【０００７】
本願発明によれば、以下のような効果を有する。
（１）本願発明のファイル暗号化システムは、コンピュータシステム上に存在しているファイルを暗号化させる暗号化機能と、ファイルの暗号化のための設定画面を表示させるためのアイコンと、を備え、アイコンを操作して表示されたファイル暗号化設定画面が、暗号化の運用に必要な設定をビジュアル的に表示しているので、システムの管理者が簡単に運用開始できて、設定の全容理解へエスコートできる。
（２）また、本願発明のファイル暗号化システムが、さらに画面上だけでなく、暗号化の運用図及び現状の設定状況が簡単に把握できるようにレポートを出力するレポート出力機能を備えたことで、システムの管理者が運用設定の現状把握及び上長への報告に使用できる。
【図面の簡単な説明】
【０００８】
【図１】本願発明の実施形態を説明する説明図（１）。
【図２】本願発明の実施形態を説明する説明図（２）。
【図３】本願発明の実施形態を説明する説明図（３）。
【図４】本願発明の実施形態を説明する説明図（４）。
【発明を実施するための形態】
【０００９】
本願発明の実施形態を図面に基づいて説明する。
【００１０】
図１は、ファイル暗号化設定画面の設置場所を示したものである。
図示する「設定画面アイコン」は、ファイルの暗号化のための設定画面を表示させるためのアイコンであり、このアイコンを操作することでファイル暗号化設定画面が表示される。
【００１１】
図２は、ファイル暗号化設定画面（クラウド運用スタイル）を示したものであり、図３は、ファイル暗号化設定画面（オンプレミス運用スタイル）を示したものである。
図示するように、ファイル暗号化設定画面は、暗号化の運用に必要な設定をビジュアル的に表示されている。詳しくは、暗号化の運用に必要な設定をオン・オフ又は有り・無しで行うことができるように表示されていたり、暗号化の運用に関連する要素について画面上で細かな情報提供を行い、要素に関連する設定を絞って呼び出し表示することで、該当の詳細設定の理解をエスコートできるように表示されている。これによって、システムの管理者が簡単に運用開始できて、設定の全容理解へエスコートできるものとなる。
【００１２】
なお、図示省略するが、ファイル暗号化設定画面は、アニメーションなどの動的な表現を用いたビジュアル的な表示を加味してもよい。
【００１３】
図４は、レポート出力の状況を示したものである。
図示するように、レポート出力機能によって、暗号化の運用図及び現状の設定状況が簡単に把握できるようなレポートが出力されている。これによって、システムの管理者が運用設定の現状把握及び上長への報告に使用できるものとなる。
【産業上の利用可能性】
【００１４】
本願発明は、個人情報や機密情報などが記録された機密ファイルの情報漏洩事故（情報漏洩事故）を防止するために、システムの管理者などが簡単に運用できるファイル暗号化システムとして幅広く利用されるものである。
【図１】
2017120597.tif 000003
【図２】
2017120597.tif 000004
【図３】
2017120597.tif 000005
【図４】
2017120597.tif 000006